(57)【要約】【課題】制御基板に装着されている制御素子の取り外しを困難なものとし、不正ＲＯＭの差し換えを防止できる遊技機を提供すること。【解決手段】少なくとも制御情報が書き込まれた制御素子４が装着され、遊技状態を制御するための制御基板２に、制御素子４の取り外しを防止する取り外し防止部材（支持部材５、ヒンジ６、押え板７、ロック部１１により構成）を備え、取り外し防止部材は、制御基板２に構成された電気回路の一部を構成する。【選択図】              図５
2004154462.tif 000002
【特許請求の範囲】
【請求項１】
少なくとも制御情報が書き込まれた制御素子が装着され、遊技状態を制御するための制御基板を備えた遊技機において、前記制御基板には前記制御素子の取り外しを防止する取り外し防止部材を備え、前記取り外し防止部材は前記制御基板に構成された電気回路の一部を構成していることを特徴とする遊技機。
【請求項２】
前記取り外し防止部材は、取り外し防止状態と非取り外し防止状態とに変換可能なロック手段を備えたことを特徴とする請求項１に記載の遊技機。
【請求項３】
前記取り外し防止部材は、少なくとも取り外し防止状態であるときに、所定値以上の外力が加わった場合に破壊される弱体部が設けられていることを特徴とする請求項１又は２に記載の遊技機。
【請求項４】
前記取り外し防止部材は、その表面に電気的絶縁処理が施されていることを特徴とする請求項１乃至３のうちのいずれか１つに記載の遊技機。
【請求項５】
前記制御素子は、遊技機の主遊技状態を制御する主制御素子または賞品として払い出される遊技媒体の払出状態を制御する払出制御素子の少なくとも何れか一方であることを特徴とする請求項１乃至４のうちのいずれか１つに記載の遊技機。
【発明の詳細な説明】
【０００１】
【発明の属する技術分野】
本発明は、少なくとも制御情報が書き込まれた制御素子が装着された制御基板に、制御素子の取り外しを防止する取り外し防止部材を備えた遊技機に関する。
【０００２】
【従来の技術】
遊技機に配備されている遊技制御基板には、ＣＰＵが実行するための各種遊技制御プログラムを格納したＲＯＭ（実際にはＲＯＭ内蔵型のワンチップマイコン）が装着されているが、遊技機の特性として、検査を行うために規則上取り外しができなければならず、このため制御基板にＲＯＭを実装することができない。一方で、遊技場に遊技機が設置された後は、ＲＯＭが不正行為の対象となりやすく、制御基板の不正改造、例えば、不正ＲＯＭの交換を防止しなければならない。
【０００３】
先行技術として、制御基板収納ボックスのカバー体を開くための操作を行うと、該制御基板収納ボックスに収納された制御基板の機能が破壊される構成としたパチンコ機の基板収納ボックスが提案されている（例えば、特許文献１参照）。このものは、制御基板収納ボックスのカバー体を開けるべく不正防止用ビスを緩めると、ビスと一緒に破損リングが回動し、制御基板のプリントパターンが破損リングによって傷付けられ、これにより制御基板の機能が破壊されるものであり、基板収納ボックスに収納された制御基板の不正改造を一層確実に防止し得るものである。しかしながら、このものは、制御基板に装着されているＲＯＭそのものの不正差換えを防止するものではない。
【０００４】
【特許文献１】
特開平９−２１５８４１号公報（第４頁段落００４３−同頁段落００４４、図１１）
【０００５】
【発明が解決しようとする課題】
本発明の目的は、制御基板に装着されている制御素子の取り外しを困難なものとし、不正ＲＯＭの差し換えを防止できる遊技機を提供することにある。
【０００６】
【課題を解決するための手段】
請求項１に記載の遊技機は、少なくとも制御情報が書き込まれた制御素子が装着され、遊技状態を制御するための制御基板を備えたものであって、上記課題を解決するために、前記制御基板には前記制御素子の取り外しを防止する取り外し防止部材を備え、前記取り外し防止部材は前記制御基板に構成された電気回路の一部を構成していることを特徴とする。
【０００７】
請求項２に記載の遊技機は、請求項１に記載のものにおいて、前記取り外し防止部材が、取り外し防止状態と非取り外し防止状態とに変換可能なロック手段を備えたことを特徴とするものである。
【０００８】
請求項３に記載の遊技機は、請求項１又は２に記載のものにおいて、少なくとも取り外し防止状態であるときに、所定値以上の外力が加わった場合に破壊される弱体部が設けられていることを特徴とするものである。
【０００９】
請求項４に記載の遊技機は、請求項１乃至３のうちのいずれか１つに記載のものにおいて、前記取り外し防止部材が、その表面に電気的絶縁処理が施されていることを特徴とするものである。
【００１０】
請求項５に記載の遊技機は、請求項１乃至４のうちのいずれか１つに記載のものにおいて、前記制御素子が、遊技機の主遊技状態を制御する主制御素子または賞品として払い出される遊技媒体の払出状態を制御する払出制御素子の少なくとも何れか一方であることを特徴とするものである。
【００１１】
【発明の実施の形態】
以下、本発明の実施の形態を図面を参照して説明する。図１は、本実施形態の遊技機に配備される制御部の側面図であり、図２は、本実施形態の遊技機に配備される制御部の概略の斜視図である。制御部１は、遊技状態を制御するための制御基板２を備える。制御基板２の一面にはＩＣソケット３が装着され、該ＩＣソケット３には、遊技状態を制御するための制御情報が書き込まれた制御素子４が装着されている。該制御素子４は、その両側部から下方に向けて延出された複数の接続ピン４ａをＩＣソケット３に嵌め込むことにより、ＩＣソケット３に脱着可能に装着されると共に、複数の接続ピン４ａを通じてＩＣソケット３に電気的に接続される。また、制御素子４は、例えば、ＲＯＭ内蔵型のワンチップマイクロコンピュータで構成されている。なお、ＩＣソケット３は図３においては図示を省略してある。
【００１２】
制御基板２上において、制御素子４の配設位置の前方には支持部材５が設けられ、支持部材５の上面にはヒンジ６を介して押え板７の一端が取り付けられている。また、制御基板２上において、制御素子４の配設位置の後方には、請求項２に記載のロック手段の一要素であるロックケーシング８が設けられ、ロックケーシング８の上部にはロックシリンダ９が設けられている。なお、支持部材５、ヒンジ６及び押え板７は導電性材料（例えば、金属）で構成され、支持部材５は、制御基板２に施されたプリント配線及び電源コネクタ１３と電気的に導通している。
【００１３】
押え板７は、制御素子４がＩＣソケット３に装着された状態において、当該押え板７が制御素子４の上方に近接して被さることで制御素子４がＩＣソケット３から抜けることを防止する。また、押え板７の表面（上面）は、電気的絶縁処理が施されており、帯電した異物が不測に直接接触することによるノイズ等の影響を極力受けないようになっている。また、支持部材５は、図２に示すように、両側から下方に延出する脚部５ａ，５ａを有する門型形状であり、脚部５ａ，５ａの下面が制御基板２に施されたプリント配線にそれぞれ半田付けされて電気的に接続されている。しかしながら、支持部材５の脚部５ａ，５ａは、所定値以上の外力が加わった場合に制御基板２から剥離する程度の強度とされている。なお、この実施形態では、脚部５ａ，５ａの下面と制御基板２との半田付け部分が、請求項３に記載の弱体部１５ｂを構成する。
【００１４】
図３は、押え板７の平面図であり、図４はロックシリンダ９の平面図である。図４に示すように、ロックシリンダ９の上面にはキーを差し込むための鍵穴１０が設けられている。また、ロックシリンダ９の側部にはロック部１１が突設されている。該ロック部１１は、キーを鍵穴１０に差し込んで反時計回りに９０度回動すると、図４（ｂ）のロック位置に回転移動される。また、ロック部１１が図４（ｂ）のロック位置にある時には、キーを鍵穴１０に差し込んで時計回りに９０度回動すると、ロック部１１は、図４（ａ）のロック解除位置に回転移動される。なお、ロック部１１、ロックシリンダ９及びロックケーシング８は導電性材料（例えば、金属）で構成され、ロックケーシング８は、制御基板２に施されたプリント配線を通じてＩＣソケット３のＶｃｃ端子と電気的に導通している。
【００１５】
一方、押え板７の一端両側には、ヒンジ６に係合して該押え板７をヒンジ６に対して回動可能に支持する支軸１４，１４が突設されている。また、押え板７の他端寄りには、図４（ａ）のロック解除位置にロック部１１があるときに、ロック部１１及びロックシリンダ９の外形に馴染んでロックシリンダ９及びロック部１１を貫通させる通孔１２が設けられている。
【００１６】
以上のように構成された実施形態の制御部１において、制御素子４の取り外しを防止する取り外し防止部材は、支持部材５、ヒンジ６、押え板７、ロック部１１で構成されている。
【００１７】
次に、実施形態における押え板７及びロック部１１の作用について説明する。制御素子４をＩＣソケット３に装着した状態において、押え板７の他端をヒンジ６を中心としてロックシリンダ９に向けて回動させると、押え板７の他端に設けた通孔１２にロック解除位置にあるロック部１１及びロックシリンダ９が貫通し、押え板７の下面がロックケーシング８に当接すると共に、制御素子４の上方に押え板７が近接して被さる。
【００１８】
この状態で、キーをロックシリンダ９の上面の鍵穴１０に差し込んで反時計回りに９０度回動すると、ロック部１１が、押え板７の上面において図４（ｂ）のロック位置に回転移動され、ロック部１１とロックケーシング８との間に押え板７を挟み込む状態となり、押え板７がロックされる。従って、ＩＣソケット３から制御素子４を引き抜こうとする場合、制御素子４の上方の押え板７が障害となって引き抜くことができず、取り外し防止状態となる（図５参照）。
【００１９】
また、押え板７をロックした状態では、押え板７の上面とロック部１１および押え板７の下面とロックケーシング８とが当接して導通状態となり、電源コネクタ１３を通じて供給される電源が、支持部材５、ヒンジ６、押え板７、ロック部１１並びにロックケーシング８を経由し、制御基板２に施されたプリント配線を通じてＩＣソケット３のＶｃｃ端子に供給されるため、制御素子４に作動電圧が与えられる。即ち、支持部材５、ヒンジ６、押え板７、ロック部１１並びにロックケーシング８は、制御基板２に設けられた回路の一部を構成している。また、押え板７は、ＩＣソケット３から制御素子４を抜け止めを防止するだけでなく、制御基板２に設けられた回路の一部を兼ねたものとなっている。
【００２０】
また、警察等による検査等により、ＩＣソケット３から制御素子４を取り外す場合には、キーを鍵穴１０に差し込んで時計回りに９０度回動すると、押え板７の上面においてロック部１１が、図４（ａ）のロック解除位置に回転移動され、押え板７の他端に設けた通孔１２の形状に馴染む（非取り外し防止状態）。この状態で、押え板７は一端がヒンジ６を中心として回動可能に装着されているため、その他端を上方に向けて持ち上げることができる。押え板７の他端を持ち上げて制御素子４の上方を開放すると、ＩＣソケット３から制御素子４を引き抜くことができる。
【００２１】
ところで、図５に示した取り外し防止状態、即ち、押え板７をロック部１１でロックした状態においては、制御素子４の上方に押え板７が近接して被さっており、押え板７はロックされて上方に移動させることができないため、ＩＣソケット３から制御素子４を抜くことができない。従って、ロック部１１をロック解除位置に移動させずに、故意に（不正に）、制御素子４を取り外そうと試みた場合、ヒンジ６或いは押え板７を取り除こうとすることが想定される。例えば、ドライバ等をヒンジ６側から差し込んで制御素子４をＩＣソケット３から外そうとすると、支持部材５の脚部５ａの弱体部１５に所定値以上の外力が加わって制御基板２から支持部材５が剥離してしまうので、制御基板２に設けられた回路の一部が破壊されることになる。従って、不正行為を行う者が、たとえ制御素子４を不正なものに付け替えることができたとしても、制御基板２に設けられた回路の一部が破壊されてしまっているので、不正な制御素子を機能させることはできない。
【００２２】
以上、本発明の実施形態について説明したが、本発明を何れの制御基板の制御素子に適用してもよいが、遊技機の主遊技状態を制御する主制御素子（メイン制御素子）または賞品として払い出される遊技媒体の払出状態を制御する払出制御素子の少なくとも何れか一方あるいは両方に適用することが望ましい。主制御素子は、遊技機の主遊技状態を制御するものであるから、不正に差し替えられた場合には、例えば、大当り遊技状態を頻発するようになってホールが直接多大な損害を被ってしまう。また、払出制御素子は、賞品として払い出される遊技媒体の払出状態を制御するものであるから、これが不正に差し替えられた場合にも、例えば、最高払出数の遊技媒体の払出しが頻発するようになってホールが直接多大な損害を被ってしまう。従って、主制御素子或いは払出制御素子の不正な制御素子への差し換えを防止することで、ホールが直接多大な損害を被ってしまうことを防止することができる。
【００２３】
【発明の効果】
請求項１に記載の構成によれば、少なくとも制御情報が書き込まれた制御素子が装着され、遊技状態を制御するための制御基板に、制御素子の取り外しを防止する取り外し防止部材を備え、取り外し防止部材は制御基板に構成された電気回路の一部を構成しているので、制御素子を不正な制御素子に差し換えようとする場合、制御素子の取り外しを防止する取り外し防止部材を剥奪しなければ制御素子を取り外すことができないため、制御基板に装着されている制御素子の取り外しを困難なものとすることができ、さらに、取り外し防止部材を剥奪した時点で、制御基板に構成された電気回路の一部を破壊したことになるので、不正な制御素子を制御基板に取り付けたとしても、不正な制御素子を機能させることはできないので、不正ＲＯＭの差し換えを防止することができる。
【００２４】
請求項２に記載の構成によれば、取り外し防止部材は、取り外し防止状態と非取り外し防止状態とに変換可能なロック手段を備えているので、ロック手段が取り外し防止状態にある場合には、制御素子を制御基板から取り外すことを困難なものとすることができる一方、検査等により、制御基板から制御素子４を取り外す必要がある場合には、ロック手段を非取り外し防止状態とすれば、制御素子を制御基板から取り外すことができる。
【００２５】
請求項３に記載の構成によれば、取り外し防止部材は、少なくとも取り外し防止状態であるときに、所定値以上の外力が加わった場合に破壊される弱体部が設けられているので、不正に制御素子を制御基板から外そうとして、強引に取り外し防止部材に外力を加えると、取り外し部材の弱体部が破壊されて制御基板に設けられた回路の一部が破壊されてしまうので、不正な制御素子を機能させることができず、結果として不正ＲＯＭの差し換えを防止することができる。
【００２６】
請求項４に記載の構成によれば、取り外し防止部材は、その表面に電気的絶縁処理が施されているため、帯電した異物が不測に直接接触することによるノイズ等の影響を極力受けないようにできる。
【００２７】
請求項５に記載の構成によれば、制御素子が、遊技機の主遊技状態を制御する主制御素子または賞品として払い出される遊技媒体の払出状態を制御する払出制御素子の少なくとも何れか一方である構成は、主制御素子或いは払出制御素子の不正な制御素子への差し換えを防止することで、ホールが直接多大な損害を被ってしまうことを防止することができる。
【図面の簡単な説明】
【図１】本発明の実施形態に係る遊技機に配備される制御部の側面図（非取り外し防止状態）
【図２】同上の実施形態の制御部の概略の斜視図
【図３】同上の実施形態の押え板の平面図
【図４】同上の実施形態のロックシリンダの平面図
【図５】同上の実施形態の制御部の側面図（取り外し防止状態）
【符号の説明】
１  制御部
２  制御基板
３  ＩＣソケット
４  制御素子
５  支持部材
５ａ  脚部
５ｂ  弱体部
６  ヒンジ
７  押え板
８  ロックケーシング
９  ロックシリンダ
１０  鍵穴
１１  ロック部
１２  通孔
１３  電源コネクタ
１４  支軸
【図１】
2004154462.tif 000003
【図２】
2004154462.tif 000004
【図３】
2004154462.tif 000005
【図４】
2004154462.tif 000006
【図５】
2004154462.tif 000007